(57)【要約】【課題】ＯＣＴの生体における診断は、眼科では網膜下の詳細な光断層画像の取得用としてあるが、歯科では被検体が歯部で象牙・エナメル質、歯肉部等の硬軟両組織からなりまた、口腔内は狭小で形状も個人差が大であるため、歯科用装置では検出部のハンドピースの形状とその内部構造及び操作性が重要である、これに適する歯科光診断装置用ハンドピースを提供する。【解決手段】診断用信号の取得が光ファイバ型で、ハンドピースの外形が、挿入部の小円筒と直線的に接続された大円筒の握持部からなり、構造が簡単で操作が容易である。また可動部分を有する光スキャナは、先端部の計測点から離れた握持部の内部に斜め方向に配設されていて配置に余裕があり、また歯部診断箇所の位置決め用のガイド光の目視又は、表面画像を取得する光源と撮像用カメラを握持部に備えてなる。【選択図】図１
0003116348.tif 000002
【実用新案登録請求の範囲】
【請求項１】
被検体の歯部を照射するための、所定の低コヒーレント光の発生手段と、
該低コヒーレント光を信号光として、前記歯部の選定された所定領域を走査し、
同走査領域内の所定深部からの反射光と、前記信号光と僅少な周波数の差を有するかあるいは、位相変調を与えた参照光との干渉によって、前記走査領域の光断層画像を取得するＯＣＴ手段とを備えてなる歯科光診断装置用ハンドピースにおいて、
診断用信号の取得構成が光ファイバによる光ファイバ型であって、
該光ファイバ型に使用される先端部が口腔内の歯部に当接される診断用ハンドピースの外観が、大小の円筒を直線的に接続した形状であり、
その外形が、握持して自在に姿勢制御するための、閉鎖された片側の端部に光ファイバの導入孔を有し、他の端部に小口径の円筒着設用の開口部を有する大口径の円筒と、
前記大口径円筒の他の前方の端部から突設され、大口径円筒に対し前端が閉鎖されかつ前端部に信号光照射用窓が設けられてなる小直径の円筒とからなり、
また、前記外形の内部構造は、前記大口径円筒の光ファイバの導入孔から導入されかつ、
大口径の径の握持部内に配設された、外部で生成された前記信号光伝送用光ファイバと、
該光ファイバの信号光を受光して直角に折り返し照射する反射鏡と、
該反射鏡の照射光を受けて機械的に走査して反射させ前方に送出する前記ハンドピース先端部の診断の計測点から離れた箇所にある大口径円筒の前部の反射鏡に対し逆方向に傾斜して配設された光スキャナと、
そして、前記光スキャナからの反射光を伝送する前記小口径の円筒内の空間と、
さらに、該伝送光を受けて、前記小口径の円筒内の前端部に配設された前方の信号光照射用窓より前記被検体の歯部を走査しながら照射するための４５度傾けて配設された反射鏡と、該、反射鏡前方に設けられた集光レンズとを備え、
前記被検体の歯部からの反射光は、前記歯部照射用の信号光の経路を逆方向に伝送され、信号光伝送用光ファイバから、外部の検出器に送出する機構を形成してなり、
また、前記歯部の光診断箇所を位置決めする手段を有し、
同手段が、前記ガイド光を含む信号光のガイド光を目視して位置決めする方式であることを特徴とする歯科光診断装置用ハンドピース。
【請求項２】
前請求項１に記載の歯部の光診断箇所を位置決めする手段が、
表面画像を取得するために前記握持部内に長軸方向に配設された照明用光源及び撮像用カメラと、
前記照明光を伝送するハンドピース端部まで延長された光ファイバと、
該光ファイバ端の光を受けて、前記照射用窓の一画より被検体歯部の表面を照明する４５度傾斜した反射鏡と、
さらに、前記の照明により取得される歯部の表面画像を、反射鏡を介して撮像用カメラに伝送する画像伝送用の光ファイバとを備え、前記ガイド光を含む伝送画像は、撮像用カメラで撮像され、前記光ファイバ導入孔より画像信号として外部に送出されることを特徴とする歯科光診断装置用ハンドピース。
【考案の詳細な説明】
【技術分野】
【０００１】
本考案は、歯科診療における光診断装置にかかり、特に ＯＣＴ（Ｏｐｔｉｃａｌ  ｃｏｈｅｒｅｎｃｅ  ｔｏｍｏｇｒａｐｈｙ）手段を備えた歯科光診断装置用ハンドピースに関する。
【背景技術】
【０００２】
従来、ＯＣＴの生体における診断のための使用例は、例えば眼科における眼底網膜下の詳細構造の光断層画像を取得するために用いられている。
また、歯科光診断装置用プローブとしては、以下のような文献が開示されている。
【特許文献１】特開平２００４−３４４２６０号公報
【特許文献２】特開平２００４−３４７３８０号公報
【特許文献３】特開平２００４−３４４２６２号公報
【考案の開示】
【考案が解決しようとする課題】
【０００３】
しかし、歯科においては被検体が歯部であり、前記は象牙質、エナメル質等からなる硬組織と、歯肉部等の軟組織から構成されており、また診断のために使用できる口腔内のスペースは狭小であり、かつその形状も個人差が大である。
従って、前記歯部の硬軟両組織の所定の深度からの反射光を測定するＯＣＴ装置では、装置の検出部であるハンドピースの形状と、内部構造及び操作性が特に重要であるため、前記発明の開示における文献に加えて、本考案の歯科光診断装置用ハンドピースを提供する。
【課題を解決するための手段】
【０００４】
（１）被検体の歯部を照射するための、所定の低コヒーレント光の発生手段と、該低コヒーレント光を信号光として、前記歯部の選定された所定領域を走査し、同走査領域内の所定深部からの反射光と、前記信号光と僅少な周波数の差を有するかあるいは、位相変調を与えた参照光との干渉によって、前記走査領域の光断層画像を取得するＯＣＴ手段とを備えてなる歯科光診断装置用ハンドピースにおいて、診断用信号の取得構成が光ファイバによる光ファイバ型であって、該光ファイバ型に使用される先端部が口腔内の歯部に当接される診断用ハンドピースの外観が、大小の円筒を直線的に接続した形状であり、その外形が、握持して自在に姿勢制御するための、閉鎖された片側の端部に光ファイバの導入孔を有し、他の端部に小口径の円筒着設用の開口部を有する大口径の円筒と、前記大口径円筒の他の前方の端部から突設され、大口径円筒に対し前端が閉鎖されかつ前端部に信号光照射用窓が設けられてなる小直径の円筒とからなり、
【０００５】
また、前記外形の内部構造は、前記大口径円筒の光ファイバの導入孔から導入されかつ、大口径の径の握持部内に配設された、外部で生成された前記信号光伝送用光ファイバと、該光ファイバの信号光を受光して直角に折り返し照射する反射鏡と、該反射鏡の照射光を受けて機械的に走査して反射させ前方に送出する前記ハンドピース先端部の診断の計測点から離れた箇所にある大口径円筒の前部の反射鏡に対し逆方向に傾斜して配設された光スキャナと、そして、前記光スキャナからの反射光を伝送する前記小口径の円筒内の空間と、さらに、該伝送光を受けて、前記小口径の円筒内の前端部に配設された前方の信号光照射用窓より前記被検体の歯部を走査しながら照射するための４５度傾けて配設された反射鏡と、該、反射鏡前方に設けられた集光レンズとを備え、前記被検体の歯部からの反射光は、前記歯部照射用の信号光の経路を逆方向に伝送され、信号光伝送用光ファイバから、外部の検出器に送出する機構を形成してなり、また、前記歯部の光診断箇所を位置決めする手段を有し、同手段が、前記ガイド光を含む信号光のガイド光を目視して位置決めする方式であることを特徴とする歯科光診断装置用ハンドピース。
【０００６】
（２）前項（１）に記載の歯部の光診断箇所を位置決めする手段が、表面画像を取得するために前記握持部内に長軸方向に配設された照明用光源及び撮像用カメラと、前記照明光を伝送するハンドピース端部まで延長された光ファイバと、該光ファイバ端の光を受けて、前記信号光照射用窓の一画より被検体歯部の表面を照明する４５度傾斜した反射鏡と、さらに、前記の照明により取得される歯部の表面画像を、反射鏡を介して撮像用カメラに伝送する画像伝送用の光ファイバとを備え、前記ガイド光を含む伝送画像は、撮像用カメラで撮像され、前記光ファイバの導入孔より画像信号として外部に送出されることを特徴とする歯科光診断装置用ハンドピース。
【考案の効果】
【０００７】
１、本件の請求項１の考案によれば、
光断層画像を取得するＯＣＴ手段を備えてなる歯科光診断装置用ハンドピースにおいて、診断用信号の取得構成が光ファイバによる光ファイバ型であって、構成が簡明であり、かつ信号光へのノイズの混入を防止することができる。
また、該光ファイバ型に使用される先端部が口腔内の歯部に当接する診断用ハンドピースの外観が、大小の円筒を直線的に接続した形状であり、その外形が、握持して自在に姿勢制御するため、構造が簡単であり、ユーザは所要角度でハンドピースの先端を歯部の診断部分に当接させることが容易である。
そして、機械的な可動部分を有する光スキャナは、ハンドピース先端部の診断の計測点から離れた箇所にある握持部大口径円筒の内部に斜め方向に配設されているため、スペースに余裕があり、また信号光は４５度傾けて配設された反射鏡によって、光軸を光スキャナの鏡面方向に容易に合わせることができる。
従って、口腔内に挿入されるハンドピースの先端部は簡単な構造とすることができ、より小型化することが可能である。
そして、歯部の光診断箇所を位置決めする手段が、ガイド光を含む信号光の中のガイド光を目視して位置決めするため、部材は不要である。
【０００８】
２、請求項２の考案によれば、
前記歯部の光診断箇所を位置決めする手段が、表面画像を取得するための、光源並びに撮像用カメラを握持部に備え、各光ファイバと反射鏡を介して診断箇所を照明し、
前記カメラにより位置決めのガイド光を含む表面画像を得ることができ、診断のための操作を容易に行うことができる。
【考案を実施するための最良の形態】
【０００９】
考案を実施するための最良の形態を以下図面に基づいて説明する。
図１は歯科光診断用ハンドピースの外観斜視図である。
図において、１は歯科光診断用ハンドピース、２は握持部、３は中間部、４は口腔内挿入部、５は信号光照射用窓、６は窓ガラス、７はゴムカバー、８は外装チューブを示す。
施術者は、握持部２を握って口腔内挿入部４を患者の口腔内に挿入し、測定診断箇所に正方形をなす信号光照射用窓７を当接する。
そして、診断箇所の歯列の上下表裏のいずれの場所にも適合するように、握持部２を持って上下前後左右に動かしかつ、傾斜させてハンドピースの先端部を前記信号光照射用窓７に当てるように、位置調節を行う。
【００１０】
図２は、歯科光診断用ハンドピースの縦断面図である。
図において、９は継ぎ手、１０は光スキャナ、  １５は光スキャナコード、１６は信号光用伝送用光ファイバ、１７はグリンレンズ、１８は第１の信号光用反射鏡、 ２１は第２の信号光用反射鏡、２２は集光レンズ、２３はレンズホルダ、２４は光ファイバホルダ、２５は小口径の円筒、２７は挿入部ケース着脱部、２９は光ファイバの導入孔を示す。
【００１１】
内部構造は、前記握持部２（大口径円筒）の光ファイバの導入孔２９から導入されかつ、握持部２（大口径円筒）内に配設された、外部で生成された前記信号光伝送用光ファイバ１６と、
該信号光伝送用光ファイバ１６の信号光を受光して直角に折り返し照射する第１の信号光用反射鏡１８と、
該第１の信号光用反射鏡１８の照射光を受けて機械的に走査して反射させ前方に送出する前記ハンドピース先端部の診断の計測点から離れた箇所にある握持部２（大口径円筒）前部の信号光用反射鏡１８に対し、逆方向に４５度傾斜させた光スキャナ１０が配設されている。
そして、前記光スキャナ１０からの反射光を伝送する前記小口径の円筒２５内の空間と、さらに、該伝送光を受けて、小口径の円筒内２５の前端部に配設された前方の信号光照射用窓７より前記被検体の歯部を走査しながら照射するための４５度傾けて配設された第２の信号光用反射鏡２１と、その前方に設けられた集光レンズ２２とを備え、
そして、被検体の歯部からの反射光は前記と逆に、集光レンズ２２と、第２の反射鏡２１と、光スキャナ１０と、第１の信号光用反射鏡１８と、信号光伝送用光ファイバ１６を通って外部の検出器（図示せず）に送出される。
【００１２】
また、前記歯部の光診断箇所を位置決めする手段を有しているが、同手段は、前記ガイド光を含む信号光の中の、ガイド光を目視して位置決めするため、特に部材を必要としない。
【００１３】
図３は他の歯科光診断用ハンドピースの外観斜視図である。
本図が外観上前記図１と異なるのは、信号光照射用窓５が、表面画像を得るために照明及び撮像兼用の窓として後方に拡大されている点である。
図４は他の歯科光診断用ハンドピースの縦断面図である。
図において、 １１は照明用光源、１２は光源ホルダ、１３は撮像用カメラ、１４はカメラ用コード、１６は信号光伝送用光ファイバ、１９は照明用光ファイバ、２０は撮像用光ファイバ、２６は照明・撮像用反射鏡、２８は光源用コードを示す。
図示したように基本的な内部構造は、上記図２と同じであるが、
【００１４】
前記歯部の光診断箇所を位置決めする手段が、前記図２の手段と異なり、
表面画像を取得するため前記握持部２内の長軸方向に配設された照明用光源１１及び撮像用カメラ１３と、前記照明光を伝送するハンドピース前端部まで延長された照明用光ファイバ１９と、該光ファイバ１９端の光を受けて、前記信号光照射用窓５の一画より被検体歯部の表面を照明するための４５度傾斜した照明・撮像用反射鏡２６が設けられている。
また、前記の照明により取得された歯部の表面画像を、前記照明・撮像用反射鏡２６を介して撮像用カメラ１３に伝送する撮像用光ファイバ２０とを備え、
同伝送画像は、撮像用カメラ１３で撮像され、前記カメラ用コード１４より画像信号として外装チューブ８内を通って外部に送出される。
【図面の簡単な説明】
【００１５】
【図１】歯科光診断用ハンドピースの外観斜視図
【図２】歯科光診断用ハンドピースの縦断面図
【図３】他の歯科光診断用ハンドピースの外観斜視図
【図４】他の歯科光診断用ハンドピースの縦断面図
【符号の説明】
【００１６】
１：歯科光診断用ハンドピース
２：握持部
３：中間部
４：口腔内挿入部
５：信号光照射用窓
６：窓ガラス
７：ゴムカバー
８：外装チューブ
９：継ぎ手
１０：光スキャナ
１１：照明用光源
１２：光源ホルダ
１３：撮像用カメラ
１４：カメラ用コード
１５：光スキャナコード
１６：信号光伝送用光ファイバ
１７：グリンレンズ
１８：第１の信号光用反射鏡
１９：照明用光ファイバ
２０：撮像用光ファイバ
２１：第２の信号光用反射鏡
２２：集光レンズ
２３：レンズホルダ
２４：光ファイバホルダ
２５：小口径の円筒
２６：照明・撮像用反射鏡
２７：挿入部ケース着脱部
２８：光源用コード
２９：光ファイバの導入孔
【図１】
0003116348.tif 000003
【図２】
0003116348.tif 000004
【図３】
0003116348.tif 000005
【図４】
0003116348.tif 000006